(57)【要約】      （修正有）【課題】壁面に懸架して情報媒体として、また卓上に置いて活用でき、また装飾品としての機能を持たせ、併せて空気清浄化の維持に貢献する情報告知体の提供。【解決手段】前面に文字、写真、絵画、有機発光体、液晶受像機、電子ペーパー等の情報媒体を貼付・格納する情報掲示板１と、その後列に空間を置き、続けて平面上に紫外線発光体、空気吸入ファン、光触媒二酸化チタン溶液を浸透させたセラミック製フィルタを筐体内に組込んだモジュールを配置し、情報掲示板とモジュールを連結金具で固定した空気清浄機能付き情報告知体。【選択図】図１
0003138840.tif 000002
【実用新案登録請求の範囲】
【請求項１】
本体前面に文字、写真、絵画、有機発光体、液晶受像機、電子ペーパー等の情報媒体を貼付・格納する情報掲示板と、その後列に空間を置き、続けて平面上に紫外線発光体、空気吸入ファン、光触媒二酸化チタン溶液を浸透させたセラミック製フィルタを筐体内に組込んだモジュールを配置し、情報掲示板とモジュールを連結金具で固定した空気清浄機能付きを特徴とする情報告知体。
【請求項２】
光触媒二酸化チタン溶液に抗菌、抗かび、防臭等の作用を持つ金属として知られる銀錯体を添加し、抗菌機能を強化した空気清浄機能付きを特徴とする請求項１記載の情報告知体。
【請求項３】
光触媒二酸化チタン溶液に、マイナスイオン発生特殊セラミック微粒子を分散製剤化して、これを添加してマイナスイオン発生の機能を併せ持つ空気清浄機能付きを特徴とする請求項１記載の情報告知体。
【請求項４】
本案件の情報告知体底部に台座を筐着し、壁面に懸架することなく卓上で使用する空気清浄機能付きを特徴とする請求項１記載の情報告知体。
【請求項５】
請求項１記載の文字、写真、絵画、有機発光体、液晶受像機、電子ペーパー等の情報媒体の変更により、変更後の情報媒体に対応する情報掲示板の変更を可能とする空気清浄機能付きを特徴とする請求項１記載の情報告知体。
【考案の詳細な説明】
【技術分野】
【０００１】本考案は、本体前面に組み合わせた情報告知板の後列に、光触媒機能による空気清浄機能を持つモジュールを設けた情報告知体に関するものである。
【背景技術】
【０００２】  病院、幼稚園等空気感染の虞がある施設において、お知らせ、ポスター、写真、案内板、絵画等の情報媒体は壁面に貼付され、空気清浄機は床に置かれてあった。
【考案の開示】
【考案が解決しようとする課題】
【０００３】  （１）人目が集まりやすい施設、例えば病院待合室等の壁面には、お知らせ、ポスター、写真、案内板、絵画等の情報媒体が溢れ、壁面に新たな余白を見つけることは難しいといった場面はよくある。
（２）同時に、多数の人々が集う場所は、空中に漂う微生物が原因で病気の空気感染の被害を受けやすい環境にある。
（３）また、従来の床置き空気清浄機は通行の妨げ、転倒の危険等のおそれがあり、更に手洗いのように狭い床スペースでは床置きはむずかしいといった欠点がある。
（４）光触媒機能を発揮させるために壁面、天井表面に光触媒を直接塗布して室内の空気を清浄する施工方式があるが、室内に十分な紫外線が照射される必要があった。しかし、紫外線が得られない室内、また、室内調度品の退色を嫌って窓にカーテンを吊す、あるいは蛍光灯に覆いをつけて、紫外線の照射を防ぐ工夫が施されていることが多い。
（５）従って、情報媒体を貼付・格納する情報掲示板を情報告知体本体の前面に配置し、さらに情報掲示板の後列に「紫外線発光体を組み込み、光触媒による空気清浄機能を持つモジュール」を配置一体化し、壁面に懸架すること、あるいは卓上に置いて、前述の欠点を解決しようとするものである。
【課題を解決するための手段】
【０００４】本考案は、上記目的を達成するために、以下の考案を講じた。
（１）前面に、上述したように各種ある情報媒体を貼付・格納する情報掲示板を置き、後列に平面に部材が組み込まれた光触媒空気清浄機モジュールを配置することで、床置きの欠点、壁面の懸架スペースの確保を解決しようとするものである。
（２）同時に情報媒体の利便性を高めるために、情報媒体の変更交換に対応することが必要である。文字情報を書き込むのであればホワイト板を、絵画を貼付するなら額縁を情報掲示板として取付ける。取付け作業は、変更前の掲示板を、モジュールと情報掲示板を連結する金具板から外し、変更後の情報掲示板を付け変えることで、解決できる。
（３）本考案の情報告知体を壁掛け用薄型にするためには、空気清浄機モジュールをより薄くする必要がある。体積が少なくてすむ強力な紫外線発光体（ＬＥＤなど）と、触媒機能を効率よく助長する多孔質セラミック製フィルタを向かい合わせに配置。該フィルタは前もって、使用目的に合った機能重視の光触媒二酸化チタン溶液（例としてＧＩＯ株式会社製造多機能型光触媒二酸化チタン溶液「バリアチタン”（登録商標）」を浸透させ、発光体から照射される紫外線により触媒機能を作用させる。筐体上部の開口部に空気吸入用のファンを装備、空気を筐体内に送り込んで空気圧力を生じせしめ、該フィルタの内部全体に行き渡らせ、触媒機能により空気を清浄化させる。清浄化された空気は、セラミック製フィルタを通して、情報掲示板との間に設けた空間から情報告知体の外部に送出させる。なお、紫外線が発光体から照射されると、二酸化チタンが触媒となって有機物資を分解することは公知されている。
【考案の効果】
【０００５】  このように、本考案は、壁面に懸架しても壁面と一体化した印象を与え、見た目に違和感がなく、各種情報媒体の情報源としての役割を果たす。また、写真、イラスト、絵画を情報掲示板に貼付して装飾品としての役割を与えることも可能となった。従来の空気清浄機は、装飾品としては設計されていない。本考案の情報告知体は空気清浄機としての役割を与えられながら、情報源としてまた装飾品として多面的な効果を発揮できるものである。
【考案を実施するための最良の形態】
【０００６】  本考案は、空気清浄機能としては、使用目的に適った機能を選択できる。一般用途向けのほかに、抗菌、消臭、マイナスイオン発生の各機能を強化した光触媒溶液を併用して、使用者が希望する機能を引き出すことができる。従来品は、集塵機能など併せ持つ多機能効果を持っているが、そのため、筐体の体積が大きくなり、壁掛けになじみにくい筐体になっている。
本考案の情報告知体前面に組込まれている情報掲示板１と掲示板・モジュール連結金具４により連結されている光触媒空気清浄機モジュール５の後部左右２カ所にリンク状の吊下げ金具７が装着されており、そのリンクに鎖を通して、壁面に装着した吊下げ金具に引っ掛けて壁面に吊下げる。重量のある情報告知体については、底部左右に支板８を設けて懸架する壁面に固定して落下の危険性を軽減する。
また、支板に替わって、底辺部に台座を設けることによって、卓上面に置いて使うことも可能である。情報掲示板１内に貼付・格納されている写真、絵画、イラスト等の交換は、蝶番３により情報掲示板１に枢着した掲示板蓋板２を開閉してこれを行う。
【実施例】
【０００７】  以下、添付図面に従って、実施例を説明する。１は文字印刷物、写真、絵画、イラスト、有機ＥＬ、受像機、電子ペーパー等の各種情報媒体を貼付・収納する情報掲示板、２は蝶番３にて枢着した蓋板、開閉自在となる。４は情報掲示板１と後部に配列される空気清浄機モジュール５を連結する掲示板・モジュール連結金具４の正面から見た先端部分である。情報媒体の交換は透明なアクリル板の蓋板２を自在に開いて容易に行える。また、情報掲示板１の交換は情報掲示板１を連結金具４から容易に外すことにより可能で、張付け・収納する情報媒体に適合した情報掲示板との交換が可能となる。【０００８】  紫外線発光体９から紫外線が発光し、向かい側に配置されているセラミック製フィルタ１１に照射される。該フィルタ１１は多孔質であり、光触媒溶液が隈無く浸透されていて、紫外線が照射されると励起状態となる。そこに上部開口部に装備されている空気吸入ファン１２から空気が送られてきて、空圧により該フィルタ内１１に空気が送出される。空気中に浮遊する微生物、不快臭は触媒作用により直ちに分解され浄化された状態で該フィルタ１１から後部に設けられた空間に送出される。
【産業上の利用可能性】
【０００９】  （１）本考案の情報告知体１は、情報媒体のプラットホームとして機能を持ち、かつ装飾品としての利用も考えられる。加えて床スペースを不要とする壁掛けに最適な薄型平面筐体であること、紫外線発光体９が組み込まれているので、調度品の退色を避けるため窓外からまた蛍光灯からの紫外線照射を抑えているホテルなどに最適である。
（２）また、病院の待合室や個室、幼稚園施設、レストランなどにも利用が考えられ、これから市場に出回る電子ペーパーの掲示板としての利用も考えられ、産業上に利用価値は非常に高い。
【図面の簡単な説明】
【００１０】
【図１】本考案情報告知体の正面図である。前面に情報掲示板１を配置しその後列に壁掛け用薄型空気清浄機モジュール５を連結した情報告知体。
【図２】本情報告知体の一部切欠断面図である。
【符号の説明】
【００１１】  １．掲示板
２．掲示板蓋板
３．掲示板蝶番
４．掲示板・モジュール連結金具
５．空気清浄機モジュール
６．掲示板に貼付されたイラスト（参考例）
７．吊下げ金具
８．情報告知体を支える支板
９．紫外線発光体
１０．発光体装着基盤
１１．光触媒塗布された多孔質セラミック製フィルタ
１２．空気吸入ファン
【図１】
0003138840.tif 000003
【図２】
0003138840.tif 000004